(57)【要約】【課題】おむつを簡単な操作で容易に仮止めすることができ、排尿又は排便時に、おむつの一部が便器や便器内の水等に接触することを防止することができる、安価に製造可能な使い捨ておむつを提供すること。【解決手段】左右のウエストバンド部を着用者の腹側又は背側において止着した後、おむつ止着部により、背側部Ｂをウエストバンド部１０に止着して着用するようになしてある展開型の使い捨ておむつ１であって、腹側部Ａの両側部に有する各フラップ部２０に、前記おむつ止着部として、背側部Ｂのウエスト縁端９寄りに位置する第１止着部２１と、第１止着部２１より股下部Ｃ側に位置する第２止着部２２とが設けられており、各フラップ部２０における第１止着部２１と第２止着部２２との間にスリット又は凹欠部２５を有する。【選択図】    図１
2004305599.tif 000002
【特許請求の範囲】
【請求項１】
液透過性の表面シート、液不透過性の裏面シート及び両シート間に介在する液保持性の吸収体を具備し、長手方向の一方の部位における両側縁部にそれぞれウエストバンド部が連設され、左右の該ウエストバンド部の少なくとも何れか一方における先端部にバンド止着部が設けられていると共に、長手方向の他方の部位におむつ止着部が設けられており、前記バンド止着部により、左右の前記ウエストバンド部を着用者の腹側又は背側において止着した後、前記おむつ止着部により、前記他方の部位を、前記ウエストバンド部又はその隣接部位に止着して着用することができるようになしてある展開型の使い捨ておむつであって、
前記他方の部位における両側部にフラップ部を有し、該各フラップ部に、前記おむつ止着部として、前記他方の部位のウエスト縁端寄りに位置する第１止着部と、第１止着部より股下部側に位置する第２止着部とが設けられており、該各フラップ部における第１止着部と第２止着部との間にスリット又は凹欠部を有する使い捨ておむつ。
【請求項２】
前記第１止着部は、おむつ長手方向における前記吸収体の端縁の位置よりウエスト縁端側に設けられている請求項１記載の使い捨ておむつ。
【請求項３】
左右の前記ウエストバンド部を着用者の腹側又は背側に止着した状態において、前記裏面シート側の面同士を重ね合わせるようにして前記使い捨ておむつを長手方向に折り曲げ、前記両フラップ部における第１止着部を、それぞれ、前記一方の部位における前記裏面シート側の面に止着可能になされている請求項１又は２記載の使い捨ておむつ。
【請求項４】
請求項１記載の使い捨ておむつの使用方法であって、着用状態における前記使い捨ておむつの前記ウエストバンド部又はその隣接部位から、前記長手方向の他方の部位を引き剥がし、左右の前記ウエストバンド部を着用者の腹側又は背側に止着した状態を維持しつつ、前記裏面シート側の面同士を重ね合わせるようにして前記使い捨ておむつを長手方向に折り曲げ、前記両フラップ部の内の少なくとも一方における第１止着部を前記長手方向の一方の部位における前記裏面シート側の面に止着し前記長手方向の一方の部位を前記長手方向の他方の部位に仮止めする使い捨ておむつの使用方法。
【発明の詳細な説明】
【０００１】
【発明の属する技術分野】
本発明は、おむつを簡単な操作で容易に仮止めすることができ、排尿又は排便時に、おむつの一部が便器や便器内の水等に接触することを防止することができる、安価に製造可能な使い捨ておむつに関する。
【０００２】
【従来の技術及び発明が解決しようとする課題】
従来、展開型の使い捨ておむつとして、液透過性の表面シート、液不透過性の裏面シート、及びこれら両シート間に介在する液保持性の吸収体を具備し、使用時に着用者の腹側に位置する腹側部及び背側に位置する背側部を有するおむつが広く用いられており、展開型の使い捨ておむつの中でも大人が立ったまま装着可能なものとして、上記背側部の左右両側縁にそれぞれウェストバンド部が連設され、左右の該ウェストバンド部の少なくとも何れか一方における先端部にバンド止着部が設けられていると共に上記腹側部の両側部におむつ止着部が設けられており、前記バンド止着部により、左右の該ウエストバンド部を着用者の腹側において止着した後、前記おむつ止着部により、前記腹側部を前記ウエストバンド部に止着して着用するようになしてあるものが知られている（特許文献１，２等参照）。
【０００３】
このようなウエストバンドタイプの使い捨ておむつは、着用者が立位で自分で装着することができるという利点を有しており、また、腹側部をウエストバンド部から引き剥がし、左右のウエストバンド部を着用者の腹側に止着した状態のまま、排尿又は排便をすることも可能である。
しかし、従来のおむつにおいては、左右のウエストバンド部を腹側に止着した状態のまま排尿又は排便をしようとすると、ウエストバンド部から引き剥がした腹側部が便器と接触するために非常に不衛生であり、また、便器内の水や汚物に接触することによって、おむつを交換せざるを得なくなることがある。
【０００４】
ところで、特に介護施設等の介護の現場においては、おむつの装着は着用者ではなく介護者が行う場合がほとんどである。そのような場合、被介護者が壁や手摺りに手をかけた状態でおむつを交換することが多く、特に背中が曲がっている老人に対して装着する場合の操作は容易ではない。更に、装着の際に介護者に陰部を見られることに対して抵抗を感じる人もいる。
本発明者らは、このような事情に鑑み、おむつを装着する向きを従来とは逆にして装着することを検討したところ、逆向きに装着した場合には、左右のウエストバンド部を止着した状態のままで排尿又は排便を行うと、おむつの一部を便器や便器内の水等に接触させる可能性が更に高まった。
【０００５】
尚、特許文献３には、止着部を有するテープ状の部材を、おむつ長手方向の両側それぞれに２本づつ設けた使い捨ておむつが記載されている。しかし、このテープ状部材は、それ自体に剛性ないし曲げ抵抗力が要求されるものであり、おむつ本体部分から延出した部分を裏面シート側に折り返すのは容易ではない。また、おむつ本体部分とは別材のテープ状の部材を用いているため、安価に製造することができない。また、特許文献３には、使い捨ておむつを、裏面シート側の面同士を重ね合わせるようにして長手方向に折り曲げた状態で仮止めすることについて何ら記載されていない。
【０００６】
【特許文献１】
特開平１０−５２７８号公報
【特許文献２】
特開平９−２８５４８９号公報
【特許文献３】
特開平９−２４０６４号公報
【０００７】
従って、本発明の目的は、おむつを簡単な操作で容易に仮止めすることができ、排尿又は排便時に、おむつの一部が便器や便器内の水等に接触することを防止することができる、安価に製造可能な使い捨ておむつを提供することにある。
【０００８】
【課題を解決するための手段】
本発明は、液透過性の表面シート、液不透過性の裏面シート及び両シート間に介在する液保持性の吸収体を具備し、長手方向の一方の部位における両側縁部にそれぞれウエストバンド部が連設され、左右の該ウエストバンド部の少なくとも何れか一方における先端部にバンド止着部が設けられていると共に、長手方向の他方の部位におむつ止着部が設けられており、前記バンド止着部により、左右の前記ウエストバンド部を着用者の腹側又は背側において止着した後、前記おむつ止着部により、前記他方の部位を、前記ウエストバンド部又はその隣接部位に止着して着用することができるようになしてある展開型の使い捨ておむつであって、前記他方の部位における両側部にフラップ部を有し、該各フラップ部に、前記おむつ止着部として、前記他方の部位のウエスト縁端寄りに位置する第１止着部と、第１止着部より股下部側に位置する第２止着部とが設けられており、該各フラップ部における第１止着部と第２止着部との間にスリット又は凹欠部を有する使い捨ておむつを提供することにより、前記目的を達成したものである。
【０００９】
また、本発明は、介護施設等の介護の現場における前記使い捨ておむつの好ましい使用方法として、着用状態における前記使い捨ておむつの前記ウエストバンド部又はその隣接部位から、前記長手方向の他方の部位を引き剥がし、左右の前記ウエストバンド部を着用者の腹側又は背側に止着した状態を維持しつつ、前記裏面シート側の面同士を重ね合わせるようにして前記使い捨ておむつを長手方向に折り曲げ、前記両フラップ部の内の少なくとも一方における第１止着部を前記長手方向の一方の部位における前記裏面シート側の面に止着し前記長手方向の一方の部位を前記長手方向の他方の部位に仮止めする使い捨ておむつの使用方法を提供するものである。
【００１０】
【発明の実施の形態】
以下、本発明をその好ましい実施形態に基づき図面を参照しながら説明する。
本発明の一実施形態としての使い捨ておむつ１は、立ったままでも装着可能な成人用のおむつであり、図１に示されるように、液透過性の表面シート２、液不透過性の裏面シート３、及びこれら両シート２，３間に介在する液保持性の吸収体４を有しており、実質的に縦長に形成されている。実質的に縦長とは、ウエストバンド部を除く部分が縦長であれば良い。おむつの長手方向とは、ウエストバンド部を除く部分の長手方向と同方向である。
【００１１】
吸収体４は、表面シート２及び裏面シート３により挟持・固定されており、吸収体４の周縁部におけるウエスト部５とレッグ部６には、おむつ着用者に各部位をフィットさせるためのウエスト部弾性部材５１及びレッグ弾性部材６１が配設されている。
また、使い捨ておむつ１の長手方向左右両側には、それぞれ立体ガード７が形成されている。立体ガード７の自由端には立体ガード弾性部材７１が配されて、ギャザーが形成されている。
【００１２】
表面シート２は、吸収体４の全幅よりやや幅広の矩形状をなし、砂時計状に形成された裏面シート３の幅方向中央部上に配されている。裏面シート３における表面シート２の左右両側縁より外方に延出する部分は、立体ガード７形成用のシート材７２に被覆されている。
表面シート２、裏面シート３、吸収体４及び立体ガード７形成用のシート材７２は、おむつ本体部分８を構成している。
【００１３】
使い捨ておむつ１の長手方向の一方の部位（左右にウエストバンド部を有する側の部位，以下、便宜的に腹側部という）Ａの左右両側縁部（より具体的には、おむつ本体部分８の両側縁部）には、それぞれウェストバンド部１０，１０が連設されており、左右のウェストバンド部１０，１０の少なくとも何れか一方における先端部には、バンド止着部１１が設けられている。また、長手方向の他方の部位（以下、便宜的に背側部という）Ｂにおける両側部には、それぞれ、おむつ止着部２１，２２が設けられている。
そして、バンド止着部１１により、図２に示されるように、左右のウェストバンド部１０ａ，１０ｂを着用者の背側において止着した後、おむつ止着部２１，２２により、背側部Ｂを、相互に連結された状態のウエストバンド部１０に止着して着用することができるようになしてある。
おむつの長手方向の一方の部位及び他方の部位は、概ね、おむつ長手方向の端縁それぞれからおむつ全長の１／３位迄の領域であり、これらの間の領域が股下部である。
【００１４】
使い捨ておむつ１は、背側部Ｂにおける両側部にフラップ部２０，２０を有している。
フラップ部２０は、図３に示すように、背側部Ｂにおける、吸収体４の左右の各側縁４１の位置よりもおむつ幅方向の外方に位置する部分であり、本実施形態におけるフラップ部２０は、主として吸収体４の側縁４１から外方に延出した、立体ガード形成用のシート材７２及び表面シート３からなり、その基端（側縁４１の位置）近傍部における両シート７２，３間には更に表面シート２が介在している。
【００１５】
そして、各フラップ部２０には、おむつ止着部として、背側部Ｂのウエスト縁端（おむつ長手方向の背側部Ｂ側の一端）９寄りに位置する第１止着部２１と、第１止着部２１よりおむつ股下部Ｃ側に位置する第２止着部２２とが設けられており、各フラップ部２０における第１止着部２１と第２止着部２２との間には凹欠部２５が形成されている。
【００１６】
フラップ部２０は、おむつ長手方向及び幅方向の少なくとも幅方向に容易に折れ曲がるように柔軟な材料から構成されている必要がある。
本実施形態におけるフラップ部２０は、シート材７１を構成する撥水性の不織布と、裏面シート３を構成する樹脂フィルムとの積層シートからなり、容易に折れ曲がると共に折り曲げ後の反発力も極めて小さい。
【００１７】
フラップ部２０を構成するシート材は、フラップ部２０を折り曲げて第１止着部２１を容易に第２止着部２２の向く方向とは反対方向に向けることができるようにする点から、柔軟性の指標としての曲げ剛性が１０〜８０ｇ、特に１５〜６０ｇであることが好ましい。尚、抵抗値が１０ｇ未満であるとフラッフ２０の強度が低下し、破れが発生する等の不都合がある。
【００１８】
（曲げ剛性の測定方法）
ＪＩＳ  Ｌ１０９６−１９９０  Ｅ法（ハンドルオメータ法）に準拠して測定した。但し、曲げ剛性の測定に際しては、フラップ２０における、第１止着部２１のおむつ幅方向中央側の端部（内側端部）２３及び凹欠部２５の最深部２５ａの両者になるべく近い部位から、縦４．５ｃｍ×横４．５ｃｍの試験片を切り取り、該試験片の、おむつ（製品）幅方向に対応する方向（試料の横方向）の曲げ剛性を測定した。尚、スロット幅は２ｃｍとして測定した。
【００１９】
また、第１止着部２１は、おむつ長手方向における吸収体４の端縁４２の位置よりもウエスト縁端９側に設けられていることが、フラップ部２０がおむつ幅方向のみならずおむつ長手方向に折り曲げやすくなり、第１止着部２１を第２止着部２２とは反対側に向けることが一層容易になるので好ましい。
【００２０】
本実施形態における凹欠部２５は、図３に示すように、第１止着部２１のおむつ幅方向中央側の端部（内側端部）２３の位置よりもおむつ幅方向中央側に達するように形成されており、また、おむつ長手方向においては、吸収体４の長手方向の端部４２の位置とほぼ同じ位置に形成されている。
凹欠部２５の深さＤ（フラップ部の外縁部２０ａから凹欠部２５の最深部２５ａまでのおむつ幅方向の直線距離，図３参照）は、第１止着部２１を第２止着部２２とは反対側に向けることが一層容易になる点から、前記外縁部２０ａから第１止着部２１のおむつ幅方向中央側の端部２３の位置までのおむつ幅方向の直線距離Ｌ１（図３参照）よりも０．１ｃｍ以上、特に０．５ｃｍ以上深いことが好ましく、同様の観点から、凹欠部２５の深さＤは、上記フラップ部の延出長さＬ２（前記外縁部２０ａから吸収体の側縁４１の位置までのおむつ幅方向の直線距離，図３参照）の１５〜８５％、特に２５〜７５％であることが好ましい。
【００２１】
但し、凹欠部２５の深さＤは、第１及び第２止着部それぞれのおむつ幅方向外方側の端部よりも深ければ良い。そのような条件を満たせば、折返し基点ができるため仮止め効果はある。しかし、好ましくは第１及び第２止着部それぞれの幅方向中央より深い方が良い。
図６には、第１及び第２止着部間に設ける凹欠部２５の他の好ましい例が示されている。図６に示す凹欠部２５は、その深さＤが前記Ｌ１未満であり、また、その深さＤは、フラップ部外縁部２５ａにおける凹欠部の開口長さＬ３（図６参照）の３０〜１００％程度である。
凹欠部２５の最深部２５ａにおける曲率半径は、応力の集中によるフラップの破損を防止する観点から１ｃｍ、特に２ｃｍ以上であることが好ましい。
【００２２】
第１及び第２止着部２１，２２は、それぞれ、基材シートの表面に多数の錨形や鉤形のオス型係合部材が配された機械的ファスナーの凸部材を、フラップ２０を構成するシート材に接合して形成することができる。機械的ファスナーの凸部材としては、例えば「マジックテープ（登録商標）」（クラレ社製）、「クイックロン（登録商標）」（ＹＫＫ社製）、「マジクロス（登録商標）」（カネボウベルタッチ社製）等の市販品を用いることができる。バンド止着部１１も同様に、機械的ファスナーの凸部材をウエストバンド部を構成するシート材に接合して形成することができる。機械的ファスナーの凸部材の接合は、接着剤、ヒートシール、超音波シール等の他の公知の接合方法により行うことができる。
【００２３】
以下、本実施形態のおむつ１の好ましい使用方法について説明する。
本実施形態のおむつ１は、左右のウエストバンド部を、着用者の腹側において止着して装着する方法（以下、腹側装着ともいう）及び着用者の背側において止着して装着する方法（以下、背側装着ともいう）の何れの方法でも装着することができるが、背側装着は、被介護者の背後から陰部を見ずに装着でき、また、背中の曲がった老人にも容易に装着できる等の利点を有するため、背側装着する場合を例にして説明する。
使い捨ておむつ１を装着するには、先ず、図２に示すように、着用者３０の腹側に腹側部Ａを当接させ、両ウエストバンド部１０ａ，１０ｂを着用者３０の背側にもってくる。そして、一方のウエストバンド部１０ａを、他方のウエストバンド部１０ｂに重ねるようにして、一方のウエストパンド部１０ａの先端部に設けられたバンド止着部１１を、他方のウエストバンド部１０ｂの裏面シート側に係合止着する。そして、背側部Ｂを着用者３０の股間に沿って背側に引き上げ、おむつ止着部２１，２２を、互いに連結された状態の両ウエストバンド部１０，１０に係合止着する。この状態においては、通常のおむつと同様に吸収性能が発揮される。
【００２４】
そして、排尿又は排便の際には、ウエストバンド部１０，１０から背側部Ｂを引き剥がし、図４に示すように、そのウエストバンド部を着用者の背側に止着した状態を維持したまま、裏面シート３側の面同士を重ね合わせるようにして使い捨ておむつを長手方向に折り曲げ、両フラップ部２０，２０の内の少なくとも一方（好ましくは両方）における第１止着部２１を有する部分２６を、裏面シート３側に折り返して腹側部Ａにおける裏面シート３側の面（ウエストバンド部の裏面シート３側の面を含む）に止着し、背側部Ｂを腹側部Ａに仮止めする。
このように仮止めした状態で、図５に示すように、排尿又は排便することにより、ウエストバンド部から引き剥がした背側部が便器に接触したり、便器内の水や汚物に接触することを確実に防止することができる。このような一連の操作は、着用者自身が行うこともできるが、介護者等が行うこともできる。
【００２５】
また、本実施形態のおむつは、フラップ部２０に凹欠部を形成するだけで、第１止着部２１を独立して折り曲げ易くしてあり、別材のテープ状の部材を用いていないため、安価に製造することができる。
【００２６】
本実施形態のおむつ１においては、左右の両フラップ部２０，２０における第１止着部２１を、図４に示すように同時に止着可能であるため、仮止めを一層簡単且つ確実に行うことができる。
具体的には、左右のウエストバンド部１０は、バンド部形成用のシート材１０Ａを、腹側部Ａの本体部分８における、裏面シート３及び立体ガード７形成用のシート材７２からなる左右両側縁部に、接着剤、ヒートシール、超音波シール等の公知の接合方法により接合して形成してあり、そのバンド部形成用のシート材１０Ａとして、機械的ファスナーの凸部材が直接係合可能で且つバンド部１０自体の寸法よりおむつ幅方向の長さの長いシート材１０Ａを用い、該シート材１０Ａの一端側の所定幅の領域を、裏面シート３に大きく重ねて接合してある。
前記シート材１０Ａとしては、片面又は両面に機械的ファスナーの凸部材を直接係合可能な単層又は複数の層からなるシート材を用いることができる。尚、左右のフラップ部２０の両方の第１止着部２１を同時に止着して仮止め可能にする構成としては、裏面シートとして、樹脂フィルムの片面に、機械的ファスナーの凸部材が直接係合可能な不織布等を積層してなる積層シート等を用いることもできる。
尚、表面シート２、裏面シート３、吸収体４及び立体ガード７等の構成材料としては、使い捨ておむつに従来用いられている各種公知のものを特に制限なく用いることができる。
【００２７】
本発明の展開型の使い捨ておむつは、上述した実施形態に制限されず、本発明の趣旨を逸脱しない範囲で種々変更が可能である。
例えば、上記実施形態における、ウエスト部弾性伸縮部材５１、レッグ弾性伸縮部材６１及び立体ガード７は、それぞれ一部又は全部を省略することができる。また、上記実施形態における凹欠部２５に代えてスリットを形成することもでき、凹欠部又はスリットの深さや延びる向き等も適宜に変更することができる。
また、おむつ止着部２１，２２は、腹側部におけるおむつ本体部分（ウエストバンド部を除く部分）の、ウエストバンド部の隣接部位に止着されるように設計されていても良く、あるいは、胴囲が特に小さい場合等、特定の着用者に装着する場合に限って、ウエストバンド部の隣接部位に止着されるようなものであっても良い。
【００２８】
【発明の効果】
本発明の使い捨ておむつは、おむつを簡単な操作で容易に仮止めすることができ、排尿又は排便時に、おむつの一部が便器や便器内の水等に接触することを防止することができると共に、安価に製造することのできるものである。
【図面の簡単な説明】
【図１】図１は、本発明の一実施形態である使い捨ておむつを平面状に拡げた状態を示す平面図である。
【図２】図２は、図１の使い捨ておむつを装着する途中の状態を着用者の背側から見た状態を示す図である。
【図３】図３は、図１の使い捨ておむつにおけるフラップ部を拡大して示す平面図である。
【図４】図４は、図１の使い捨ておむつにおける背側部Ｂを腹側部Ａに仮止めした状態を示す斜視図である。
【図５】図５は、おむつを仮止めした状態で排尿又は排便する様子を示す図である。
【図６】図６は、第１及び第２止着部間に設ける凹欠部の他の好ましい例を示す図（図３相当図）である。
【符号の説明】
１  使い捨ておむつ
２  表面シート
３  裏面シート
４  吸収体
１０  ウエストバンド部
１１  バンド止着部
２０  フラップ部
２１  第１止着部（おむつ止着部）
２２  第２止着部（おむつ止着部）
２５  凹欠部
Ａ  腹側部（長手方向の一方の部位）
Ｂ  背側部（長手方向の他方の部位）
【図１】
2004305599.tif 000003
【図２】
2004305599.tif 000004
【図３】
2004305599.tif 000005
【図４】
2004305599.tif 000006
【図５】
2004305599.tif 000007
【図６】
2004305599.tif 000008